(57)【要約】  ディスプレイに一体型タッチ機能を設けることができる。このディスプレイは、行に配置された行電極と、各行の行電極間に介在する列電極と、を有する共通電極層を備え得る。行電極は、導電路によって電気的に連結され得る。行電極及び列電極は、行電極及び列電極を使用してタッチ事象を検出するタッチセンサ回路に連結され得る。共通電極層の各電極は、ピクセルのアレイのそれぞれの部分を覆い得る。ディスプレイの各ピクセルは、それぞれの開口を有し得る。共通電極層の行電極を電気的に連結する導電路は、一部の光を覆い得るか、又は他の方法で一部の光がピクセルを通過できないようにし、結果的に開口が小さくなり得る）。導電路と関連付けられた狭小開口に一致するように他のピクセルの開口を変更するダミー構造体が他のピクセル用に設けられ得る。
2016524739.tif 000002
【特許請求の範囲】
【請求項１】
少なくとも第１及び第２のピクセルと、
前記第１のピクセルの第１の一部分を覆う導電路と、
前記第２のピクセルの第２の一部分を覆うダミー構造体と、
を備えることを特徴とするディスプレイ。
【請求項２】
前記導電路に連結されている共通電極層であって、
行に配置された複数の行電極と、
各行の前記行電極間に介在する複数の列電極と、
を含む、共通電極層を更に備え、前記導電路が前記行電極を電気的に連結することを特徴とする、請求項１に記載のディスプレイ。
【請求項３】
前記複数の行電極及び複数の列電極に連結されたタッチ回路を更に備えることを特徴とする、請求項２に記載のディスプレイ。
【請求項４】
ピクセル行及びピクセル列に配置されたピクセルのアレイであって、第１のピクセルが前記ピクセルのアレイの第１のピクセル行に含まれ、前記第２のピクセルが前記ピクセルのアレイの第２のピクセル行に含まれ、前記複数の行電極の各行電極及び前記複数の列電極の各列電極が前記ピクセルのアレイのそれぞれの部分を覆う、ピクセルのアレイを更に備えることを特徴とする、請求項２に記載のディスプレイ。
【請求項５】
バックライトと、
前記バックライトからの光が通過する前記ピクセルのアレイのそれぞれのピクセル用の開口部を有する不透明グリッドであって、前記導電路によって覆われている前記第１のピクセルの前記第１の一部分が、前記第１のピクセル用の前記不透明グリッドの前記開口部内にあり、前記ダミー構造体によって覆われている前記第２のピクセルの前記第２の一部分が、前記第２のピクセル用の前記不透明グリッドの前記開口部内にある、不透明グリッドと、
を更に備えることを特徴とする、請求項４に記載のディスプレイ。
【請求項６】
カラーフィルタ層を更に備え、前記不透明グリッドが前記カラーフィルタ層にブラックマトリクス構造体を備えることを特徴とする、請求項５に記載のディスプレイ。
【請求項７】
ディスプレイ基板であって、前記ピクセルの配列の各ピクセルが前記ディスプレイ基板上に薄膜トランジスタ構造体を備える、ディスプレイ基板と、
前記ディスプレイ基板の上側にある金属層であって、前記不透明グリッドが前記金属層にパターン化金属を含む、金属層と、
を更に備えることを特徴とする、請求項５に記載のディスプレイ。
【請求項８】
前記ピクセルのアレイの各ピクセルの前記薄膜トランジスタ構造体が、
チャネル構造体と、
ゲート構造体と、
複数のソース・ドレイン構造体と、
を含むことを特徴とする、請求項７に記載のディスプレイ。
【請求項９】
前記第２のピクセルの前記ダミー構造体が、前記第２のピクセルの前記ゲート構造体と共平面を成す浮遊金属経路を含むことを特徴とする、請求項８に記載のディスプレイ。
【請求項１０】
前記第１のピクセルが前記共通電極層の所与の行電極によって覆われており、前記ダミー構造体が、前記所与の行電極によって覆われている前記第１のピクセル行の各ピクセルを横切って延在する金属経路を含む、ディスプレイであって、
前記金属経路を前記所与の行電極に電気的に連結するビア構造体を更に備えることを特徴とする、請求項４に記載のディスプレイ。
【請求項１１】
第１の開口によって特徴付けられた第１の画像ピクセルと、
第２の開口によって特徴付けられた第２の画像ピクセルと、
前記第２の開口を、前記第１の開口と一致するように少なくとも部分的に画定するダミー構造体と、
を備えることを特徴とするディスプレイ。
【請求項１２】
バックライトであって、前記第１の開口に対応する前記受信光の第１の一部分を通過させる前記第１の画像ピクセル及び前記第２の開口に対応する前記受信光の第２の一部分を通過させる前記第２の画像ピクセルが前記バックライトからの光を受信する、バックライトを更に備えることを特徴とする、請求項１１に記載のディスプレイ。
【請求項１３】
前記ダミー構造体が、前記第２の画像ピクセルによって受信された前記光の少なくとも一部分が前記第２の画像ピクセルを通過するのを防ぐことを特徴とする、請求項１２に記載のディスプレイ。
【請求項１４】
第１の範囲を有する前記第１の画像ピクセルの一部分が不透明信号経路によって覆われており、前記ダミー構造体が、前記第２の画像ピクセルを部分的に覆う浮遊金属経路を含み、前記浮遊金属経路が、前記第１の範囲に略等しい第２の範囲を有することを特徴とする、請求項１２に記載のディスプレイ。
【請求項１５】
行及び列に配置された複数の画像ピクセルを有するピクセルアレイであって、前記第１の画像ピクセルが前記ピクセルアレイの第１の行内にあり、前記第２の画像ピクセルが前記ピクセルアレイの第２の行内にある、ピクセルアレイと、
前記ピクセルアレイのそれぞれの部分を各々覆う複数の共通電極であって、前記ダミー構造体が、前記第２の行の画像ピクセルのうちの少なくとも２つのピクセルを覆う金属経路を含む、共通電極と、
前記金属経路を前記複数の共通電極の所与の共通電極に電気的に連結するビア構造体と、
を更に備えることを特徴とする、請求項１３に記載のディスプレイ。
【請求項１６】
行に配置された行電極及び各行の前記行電極間に介在する列電極を有する共通電極層と、
前記行電極及び列電極に連結されたタッチセンサ回路と、
所与の行の前記行電極を電気的に連結するクロスラインと、
前記所与の行の所与の行電極を横切って延在するダミークロスラインと、
を備えることを特徴とするタッチスクリーンディスプレイ。
【請求項１７】
それぞれのピクセル開口によって特徴付けられたピクセルのアレイであって、前記共通電極層の各電極が前記ピクセルのアレイのそれぞれの部分を覆い、前記所与の行電極によって覆われた前記ピクセルの第１の一部分の前記開口が前記クロスラインによって少なくとも部分的に画定され、前記所与の行電極によって覆われた前記ピクセルの第２の一部分の前記開口が前記ダミークロスラインによって少なくとも部分的に画定される、ピクセルのアレイを更に備えることを特徴とする、請求項１６に記載のタッチスクリーンディスプレイ。
【請求項１８】
前記ダミークロスラインが、前記クロスラインと平行な前記所与の行電極を横切って延在する複数のダミークロスラインの１つを含み、前記複数のダミークロスラインの各ダミークロスラインがそれぞれのビア構造体によって前記所与の行電極に電気的に連結されていることを特徴とする、請求項１７に記載のタッチスクリーンディスプレイ。
【請求項１９】
前記クロスラインがそれぞれのビア構造体によって前記所与の行の各行電極に電気的に連結されているタッチスクリーンディスプレイであって、
前記所与の行の前記行電極間に介在している各列電極用の１組のダミークロスラインを更に備えることを特徴とする、請求項１７に記載のタッチスクリーンディスプレイ。
【請求項２０】
前記１組のダミークロスラインを、前記所与の行の前記行電極間に介在している前記列電極に電気的に連結するビア構造体であって、第１の範囲を各々有する、ビア構造体と、
前記列電極によって覆われている前記クロスラインの複数部分に連結されているダミービア構造体であって、前記第１の範囲に略等しい第２の範囲を各々有し、ダミービアコンタクトパッドを各々含む、ダミービア構造体と、
を更に備えることを特徴とする、請求項２２に記載のタッチスクリーンディスプレイ。
【発明の詳細な説明】
【背景技術】
【０００１】
本発明は、概してディスプレイに関し、特に液晶ディスプレイなどのディスプレイに関する。
【０００２】
ディスプレイは、画像を表示する目的で、電子装置において広く使用されている。液晶ディスプレイなどのディスプレイは、画像ピクセルのアレイと関連付けられた液晶材料を制御することによって画像を表示する。典型的な液晶ディスプレイは、カラーフィルタ層と、偏光子層間に形成された薄膜トランジスタ層と、を有する。カラーフィルタ層は、ピクセルのアレイを有し、その各々が様々な色のカラーフィルタ素子を含む。薄膜トランジスタ層は、薄膜トランジスタ回路のアレイを格納している。薄膜トランジスタ回路は、各ピクセルによって出される光の量及び色を制御するように調節することができる。典型的なピクセルアレイの薄膜トランジスタ回路は、データ信号及び制御信号を分散させるためのデータ線及びゲート線を備える。
【０００３】
カラーフィルタ層と薄膜トランジスタ層との間には、液晶材料の層が介在している。動作中、薄膜トランジスタ層の回路は、データ線信号及びゲート線信号に応答して、薄膜トランジスタ層内の電極のアレイに信号を印加する。これにより、各電極から、液晶層を通って接地平面の関連部分へと延びる電場が生じる。電場は、液晶層における液晶材料の向きを制御し、液晶材料が偏光に及ぼす影響を変更する。
【０００４】
各画像ピクセルは、その画像ピクセルを通過できる光の量を決めるそれぞれの開口によって特徴付けられる。ディスプレイの画像ピクセル全体で均一性を維持するのは、困難であり得る。例えば、ディスプレイ全体で信号をルーティングするのに、信号経路などの金属構造体が使用されることがある。これらの金属構造体は、一部の光が画像ピクセルの一部を通過するのを遮ってしまうことがあり、それにより、影響を受けた画像ピクセルの開口が小さくなる。これらの金属構造体によって遮られない他の画像ピクセルは、影響を受けた画像ピクセルの開口よりも大きな開口を有し得るため、ディスプレイ全体の明るさが不均一になる。
【０００５】
ディスプレイの明るさの均一性を維持するためには、ブラックマトリクスなどの不透明グリッドを使用して、（例えば、金属構造体によって妨害されないピクセルも含む）全ての画像ピクセルの開口を小さくすれば良い。ただし、ピクセル開口が小さくなると、ディスプレイの全体的な明るさが減じられ、十分な明るさレベルを確保するために、ディスプレイの消費電力が増える傾向がある。それゆえ、明るさの均一性を有する改善されたディスプレイを提供可能であることが望ましい。
【発明の概要】
【０００６】
ディスプレイに一体型タッチ機能を設けることができる。ディスプレイは、行に配置された行電極と、各行の行電極間に介在する列電極と、を有する透明の共通電極層を備え得る。行電極は、導電路（例えば、列電極に電気的に連結されていない導電路）によって電気的に連結され得る。行電極及び列電極は、その行電極及び列電極を使用してタッチ事象を検出するタッチセンサ回路に連結され得る。ディスプレイは、ピクセル行及びピクセル列に配置されたピクセルのアレイを備え得る。共通電極層の各電極は、ピクセルのアレイのそれぞれの部分を覆い得る。
【０００７】
ディスプレイの各ピクセルは、それぞれの開口を有し得る。この開口は、カラーフィルタ層に形成されたブラックマトリクス構造体、又は金属層に形成された金属グリッドなどの不透明グリッドにおける開口部によって部分的に画定され得る。共通電極層の行電極を電気的に連結する導電路は、一部の光を覆い得るか、又は他の方法で、一部の光がピクセルを通過するのを遮り得る（その結果、例えば、開口が小さくなる）。導電路と関連付けられた狭小開口と一致するように他のピクセルの開口を部分的に画定する（例えば、変更する）他のピクセル用のダミー構造体が設けられ得る。例えば、導電路が第１の行のピクセルの第１の一部分を覆い得るのに対し、ダミー構造体は第２の行のピクセルの第２の一部分を覆い得る。このシナリオにおいては、ダミー構造体が、第２の一部分の範囲が第１の一部分の範囲と略等しくなるようなサイズであり得る。これらのダミー構造体は、ピクセルごとに設けられた浮遊金属経路であり得るか、又は共通電極層のそれぞれの電極を横切って延在し、共通電極層のそれぞれの電極に電気的に連結されているダミークロスラインクロスラインであり得る。
【０００８】
所望であれば、ダミー構造体は、導電性ビア構造体を使用して、共通電極層のそれぞれの電極に電気的に連結され得る。導電性ビア構造体は、画像ピクセルの複数部分を潜在的に覆い得る。表示均一性を確保するのを支援するために、導電路には、導電性ビア構造体と略等しい面積を有するダミービア構造体が設けられ得る。
【０００９】
本発明の更なる特徴、その本質及び様々な利点は、添付の図面及び下掲の好ましい実施形態の詳細な説明からより明らかになろう。
【図面の簡単な説明】
【００１０】
【図１】本発明の一実施形態に係る、表示均一性を確保するためにダミー構造体が設けられ得る種類の液晶ディスプレイなど、例示的なディスプレイの斜視図である。
【図２】本発明の一実施形態に係る、例示的なディスプレイの断面側面図である。
【図３】本発明の一実施形態に係る、ディスプレイに画像ピクセル構造体及びタッチセンサ素子がどのように設けられ得るかを示す例示的なダイアグラムである。
【図４】本発明の一実施形態に係る、画像ピクセルの行及び列を有する例示的なディスプレイの回路図である。
【図５】本発明の一実施形態に係る、タッチ機能を具現化する際にクロスラインクロスラインがどのように使用され得るかを示すディスプレイの一部分の上面図である。
【図６】本発明の一実施形態に係る、表示均一性を確保するのを支援するためにダミー構造体がどのように使用され得るかを示すディスプレイの一部分の上面図である。
【図７】本発明の一実施形態に係る、表示均一性を確保するのを支援するためにダミー構造体がどのように使用され得るかを示すディスプレイの一部分の断面側面図である。
【図８】本発明の一実施形態に係る、表示均一性を確保するのを支援するためにダミークロスラインクロスラインがどのように使用され得るかを示すディスプレイの一部分の上面図である。
【図９】本発明の一実施形態に係る、表示均一性を確保するのを支援するためにダミービア構造体にクロスラインクロスラインがどのように設けられ得るかを示すディスプレイの一部分の断面側面図である。
【図１０】本発明の一実施形態に係る、クロストークを低減するのを支援するためにダミークロスラインクロスラインがどのようにして共通電極に電気的に短絡され得るかを示すディスプレイの一部分の断面側面図である。
【発明を実施するための形態】
【００１１】
ディスプレイは、電子装置において広く使用されている。例えば、ディスプレイは、コンピュータモニタ、ラップトップコンピュータ、メディアプレーヤ、携帯電話及び他のハンドヘルド装置、タブレットコンピュータ、テレビ、並びに他の機器で使用され得る。ディスプレイは、プラズマ技術、有機発光ダイオード技術、液晶構造体等に基づき得る。
【００１２】
液晶ディスプレイは、低消費電力及び高画質を提供できるため人気がある。液晶ディスプレイ構造体は、一例として本明細書に記載されることがある。
【００１３】
ディスプレイを有する例示的な電子装置の斜視図が図１に示されている。図１に示すとおり、電子装置６は、ハウジング８などのハウジングを有し得る。ハウジング８は、プラスチック、ガラス、セラミック、金属、繊維複合体などの材料、及びこれらの材料の組み合わせから形成され得る。ハウジング８は、１つ以上の区分を有し得る。例えば、装置６には、ヒンジで連結されたディスプレイハウジング部及びベースハウジング部が設けられ得る。図１の構成において、装置６は前面及び後面を有する。図１のディスプレイ１０は、ハウジング８の前面に取り付けられている。所望であれば、他の構成を使用してもよい。
【００１４】
ディスプレイ１０は、液晶ディスプレイであり得る。ディスプレイ１０には、（例えば、タッチスクリーンディスプレイを形成する目的で）タッチセンサアレイが組み込まれ得る。タッチセンサは、音響タッチ技術、力センサ技術、抵抗センサ技術、又は他の適切な種類のタッチセンサに基づき得る。適切な一構成では、ディスプレイ１０のタッチセンサ部が、容量タッチセンサ構成を使用して形成され得る。この種類の構成では、ディスプレイ１０が、容量タッチセンサ電極の行及び列から形成されるタッチセンサアレイを備え得る。
【００１５】
図１のディスプレイ１０を形成する際に使用され得る種類のディスプレイの一部分の断面側面図が図２に示されている。図２に示すとおり、ディスプレイ１０は、カラーフィルタ（ＣＦ）層１２と薄膜トランジスタ（ＴＦＴ）層１４とを備え得る。カラーフィルタ層１２は、カラーフィルタ素子のアレイを含み得る。典型的な構成では、層１２のピクセルが、３種類のカラーピクセル（例えば、赤色、緑色、及び青色のサブピクセル）を各々含む。液晶（ＬＣ）層１６は、液晶材料を含み、カラーフィルタ層１２と薄膜トランジスタ層１４との間に介在している。薄膜トランジスタ層１４は、液晶層１６に印加される電場を制御するための薄膜トランジスタ、コンデンサ、及び電極など、電気的な構成要素を含み得る。光学膜層１８及び２０は、カラーフィルタ層１２、液晶層１６、及び薄膜トランジスタ層１４の上側及び下側に形成され得る。光学膜１８及び２０は、４分の１波長板、半波長板、拡散膜、光学接着剤、及び複屈折補償層などの構造体を含み得る。
【００１６】
ディスプレイ１０は、上側及び下側偏光子層２２及び２４を有し得る。バックライト２６は、ディスプレイ１０に背面照射を提供し得る。バックライト２６は、一筋の発光ダイオードなどの光源を備え得る。バックライト２６は、導光板及び背面反射器も備え得る。背面反射器は、光漏れを防ぐために、導光パネルの下側面に位置し得る。光源からの光は、導光パネルの縁へと入射され得る。そして、ディスプレイ１０を通って方向２８へと上方に放射され得る。カバーガラスの層など、任意選択のカバー層が、図２に示すディスプレイ１０の層を覆い、かつ保護する目的で使用され得る。
【００１７】
タッチセンサ構造体が、ディスプレイ１０の層のうちの１つ以上に組み込まれ得る。典型的なタッチセンサ構成においては、容量タッチセンサ電極のアレイが、パッド、及び／又はインジウムスズ酸化物など複数片の透明の導電性材料を使用して具現化され得る。所望であれば、他のタッチ技術（例えば、抵抗性タッチ、音響タッチ、光学式タッチ等）が使用されても良い。ディスプレイ１０において信号線を形成する際に、インジウムスズ酸化物又は他の透明の導電性材料又は不透明の導電体（例えば、データ、電力、制御信号等を伝えるための構造体）も使用され得る。
【００１８】
白黒ディスプレイにおいては、カラーフィルタ層１２を省略することができる。カラーディスプレイにおいては、カラーフィルタ層１２を、画像ピクセルのアレイに色を付与する目的で使用することができる。各画像ピクセルは、例えば、３つの対応液晶ダイオードサブピクセルを有し得る。各サブピクセルは、カラーフィルタアレイ内の別々のカラーフィルタ素子と関連付けられ得る。カラーフィルタ素子としては、例えば、赤色（Ｒ）カラーフィルタ素子、青色（Ｂ）カラーフィルタ素子、及び緑色（Ｇ）カラーフィルタ素子が挙げられ得る。これらの要素は、行及び列で配置され得る。例えば、カラーフィルタ素子は、各列のカラーフィルタ素子が同じになるように（即ち、各列が全て赤色素子、全て青色素子、又は全て緑色素子を含むように）、ディスプレイ１０の幅にわたってストライプに（例えば、ＲＢＧパターン又はＢＲＧパターンなどの繰り返しパターンで）配置することができる。各サブピクセルを透過する光の量を制御することにより、所望の色の画像を表示することができる。
【００１９】
各サブピクセルを透過する光の量は、ディスプレイの制御回路及び電極を使用して制御することができる。各サブピクセルには、例えば、透明のインジウムスズ酸化物電極が設けられ得る。液晶層の関連部分を通過する電場を制御し、それによってサブピクセルの光透過を制御するサブピクセル電極の信号が、薄膜トランジスタを使用して印加され得る。薄膜トランジスタは、データ線からデータ信号を受信し、関連付けられたゲート線によってＯＮされると、その薄膜トランジスタと関連付けられている電極にデータ線信号を印加する。
【００２０】
例示的なディスプレイの上面図を図３に示す。図３に示すとおり、ディスプレイ１０は、画像ピクセル５２のアレイを備え得る。各画像ピクセルは、関連付けられたトランジスタ及び共通電極からデータ線信号を受信する電極を有し得る。ディスプレイ１０の共通電極は、パターン化されたインジウムスズ酸化物の層又は他の導電性平面構造体から形成され得る。パターン化インジウムスズ酸化物構造体、又は画像ピクセル５２の共通平面を形成する際に使用される他の導電性構造体は、容量タッチセンサ素子６２を形成する際にも使用され得る。
【００２１】
図３のタッチセンサ素子６２が示すとおり、タッチセンサ素子（電極）は、タッチセンサ回路６８に連結され得る。タッチセンサ素子６２は、長方形の導電性材料パッド、垂直及び／又は水平な導電性材料片、及び他の導電性構造体を含み得る。素子６２からの信号は、フレックス回路ケーブル６６又は他の適切な通信経路線上のトレース６４を介してタッチセンサ処理回路６８へとルーティングされ得る。
【００２２】
典型的な構成においては、タッチセンサ解像度よりも高い画像解像度を提供することが一般に所望されることから、ディスプレイ１０におけるコンデンサ電極６２が画像ピクセル５２よりも少ない。例えば、ディスプレイ１０には何百或いは何千の行及び／又は列のピクセル５２が存在し得るのに対し、コンデンサ電極６２は、何十或いは何百の行及び／又は列しか存在しない場合がある。
【００２３】
ディスプレイ１０は、ディスプレイドライバ回路３８を備え得る。ディスプレイドライバ回路３８は、経路７２内の導電線７０を使用して、装置６内の処理回路から画像データを受信し得る。経路７２は、例えば、ディスプレイドライバ回路３８を、（一例として）装置６内の他の場所にあるプリント回路板上の集積回路に連結するフレックス回路ケーブル又は他の通信経路であり得る。
【００２４】
ディスプレイドライバ回路３８は、回路３８−１及び回路３８−２を含み得る。回路３８−１は、１つ以上の集積回路（例えば、１つ以上のディスプレイドライバ集積回路）を使用して具現化され得る。回路３８−２（ゲート線及びＶｃｏｍドライバ回路と称されることもある）は、回路３８−１に組み込まれ得るか、又は層１４上の薄膜トランジスタ（図２）を使用して具現化され得る。経路６０などの経路は、ディスプレイドライバ回路３８−１及び３８−２を相互接続する目的で使用され得る。ディスプレイドライバ回路３８は、外部回路か、又は所望であれば他の回路の組み合わせを使用して具現化され得る。
【００２５】
ディスプレイドライバ回路３８は、データ線４８、ゲート線４６、及びＶｃｏｍ線（経路）４４などの信号線のグリッドを使用してディスプレイ１０の動作を制御し得る。線４８、４６、及び４４は、ディスプレイ１０内のサブピクセル５２など、画像サブピクセルのアレイを制御する信号の導電路を形成し得る。サブピクセル５２（ピクセルと称されることもある）は、電場を生む電極、及びその電場によって制御される液晶層１６の一部分（図２）から各々形成され得る。
【００２６】
図４に示すとおり、ディスプレイ１０内のピクセル５２は、図２の液晶層１６の一部分３６などの一部分と各々関連付けられ得る。ピクセル５２を透過するのを制御することにより、画像がディスプレイ１０上に表示され得る。
【００２７】
データ線４８は、様々な色のピクセル（即ち、様々な色のカラーフィルタ素子と関連付けられたピクセル）をアドレス指定するための線を含み得る。例えば、データ線４８は、青色データ線信号ＢＤＬを搬送する青色データ線、赤色データ線信号ＲＤＬを搬送する赤色データ線、及び緑色データ線信号ＧＤＬを搬送する緑色データ線を含み得る。信号ＢＤＬ、ＲＤＬ、及びＧＤＬは、（一例として）−５ボルトから５ボルトの範囲の電圧を有するアナログ信号であり得る。
【００２８】
ディスプレイ１０のピクセルアレイの各行においては、線４４の所与の１行が、その行における電極４２の組に電圧Ｖｃｏｍ（基準電圧、電源平面電圧、又は接地電圧と称されることもある）を提供する目的で使用され得る。デジタルゲート線制御信号ＧＬ０．．．ＧＬＮは、ドライバ回路３８−２によってそれぞれのゲート線４６上で生成され得る。各ゲート線は、そのゲート線と同じ行にある制御トランジスタ５０のうちの関連した１つのトランジスタのゲートに連結され得る。所与のゲート線制御信号をアサートすることによって制御トランジスタ５０の行がＯＮされると、その行内の制御トランジスタは、自身の関連データ行の電圧を、自身の関連電極４０へと各々ルーティングする。各電極４０とその関連電極４２との間の電圧差は、関連付けられた液晶部分３６（即ち、図２の層１６の一部分）における液晶材料の状態を制御する際に使用される電場を生む。
【００２９】
図４に示すディスプレイ１０用Ｖｃｏｍ経路４４を具現化する際に使用され得る例示的なレイアウトが、図５に示されている。図５に示すとおり、ディスプレイ１０は、Ｖｃｏｍ行（Ｖｃｏｍｒと呼ばれる）を形成するために導電性Ｖｃｏｍ経路７４を使用して相互接続される正方形Ｖｃｏｍパッド７６などのＶｃｏｍ導電体構造体４４を備え得る。経路７４は、Ｖｃｏｍ列へと電気的に連結せずにそれぞれのＶｃｏｍ行を横切って複数の電極を電気的に連結することから、ジャンパ又はクロスラインと称されることもある。垂直Ｖｃｏｍ導電体（Ｖｃｏｍｃと呼ばれる）は、パッド７６で離間され得る。図５のＶｃｏｍｒ及びＶｃｏｍｃ導電体は、インジウムスズ酸化物又は他の透明の導電性材料から形成され得る。そして、表示機能とディスプレイ１０内のタッチ機能との両方をサポートする目的で使用され得る。例えば、Ｖｃｏｍ導電性構造体を、ピクセル５２の接地平面構造体（ディスプレイモード動作時）としても、タッチセンサ電極（タッチセンサモード動作時）の両方としても使用できるようにするために、時分割多重方式が使用され得る。
【００３０】
ディスプレイ１０のピクセル５２が、ディスプレイ１０上で画像を表示する目的で使用されている場合、ディスプレイドライバ回路３８（図３）は、例えば、Ｖｃｏｍｃ及びＶｃｏｍｒの両方を、０ボルトなどの接地電圧又は他の適切な電圧（例えば固定基準電圧）に短絡し得る。この構成では、Ｖｃｏｍｒ導電体及びＶｃｏｍｃ導電体が協働して、ディスプレイ１０の共通接地平面（導電平面）の一部としての働きをし得る。Ｖｃｏｍｃ及びＶｃｏｍｒは、このようにして画像を表示するときに一緒に短絡されるので、位置依存のタッチデータが収集されない。
【００３１】
タッチデータを収集できるように、反復的な時間インターバルで、ディスプレイ１０の画像表示機能が一時的に停止され得る。タッチセンサモードでの動作時には、Ｖｃｏｍｃ導電体及びＶｃｏｍｒ導電体が独立して動作され得るため、タッチイベントの位置をＸ及びＹ次元で検出することができる。Ｖｃｏｍ行（Ｖｃｏｍｒ）が複数存在することにより、次元Ｙに関してタッチ位置を区別することができる。Ｖｃｏｍ列（Ｖｃｏｍｃ）も複数存在するため、タッチ位置を次元Ｘで判定することができる。図５のＶｃｏｍｃ及びＶｃｏｍｒ導電体は、タッチセンサ電極６２として図３に概略的に示されている。
【００３２】
画像を表示するための解像度要件は、タッチ箇所を確定する際よりも厳しいのが典型的である。そのため、パッド７６は、各画像ピクセルによって消費される面積よりも大きなサイズを選択することが望まれ得る。例えば、各タッチセンサパッド７６によって占有されたサイズの範囲と関連付けられた約６０×６４画像ピクセルのブロックが（一例として）存在し得る。
【００３３】
Ｖｃｏｍパッド７６を接続してＶｃｏｍ行を形成するＶｃｏｍクロスライン７４が、２つ以上のＶｃｏｍパッド７６を横切って延在し得る。Ｖｃｏｍクロスライン７４は、例えば、下にあるディスプレイ層（例えば、パターン化金属層）上にある導電性相互接続経路から形成され得る。導電性相互接続経路は、ビア７５によってＶｃｏｍパッド７６に電気的に連結され得る。各Ｖｃｏｍパッド７６は、１つ以上のビア７５によって下にある導電性相互接続経路に連結され得る。
【００３４】
画像ピクセルは、その画像ピクセルを通過できる光の量を決める関連付けられた開口によって各々特徴付けられ得る。例えば、画像ピクセルの開口は、下にあるバックライトからどれだけの光が画像ピクセルを通過するかを決める。画像ピクセルの開口は、（例えば、不透明トランジスタ構造体、金属線等と関連付けられた不透明範囲の面積に対する）その画像ピクセルの透明範囲の面積によって画定され得る。ディスプレイ１０に一体型タッチ画面機能が設けられている図５などのシナリオにおいては、クロスライン７４などの金属経路が、その金属経路によって覆われている画像ピクセルの開口を小さくすることができる。
【００３５】
図６は、画像ピクセル５２のアレイを備えるディスプレイの例示的な上面図である。画像ピクセル５２は、図５のＶｃｏｍｒ又はＶｃｏｍｃなどのＶｃｏｍパッドの一部分を覆い得る。画像ピクセル５２の開口は、ピクセルアレイと重なっている不透明グリッド１０２によって略画定され得る。このピクセルアレイは、不透明グリッド１０２によって覆われているゲート線４６及びデータ線４８などの構造体を含み得る。各画像ピクセル５２の開口は、光を通せる不透明グリッド１０２の開口部の高さＨ及び幅Ｗによって少なくとも部分的に画定され得る。不透明グリッド１０２は、トランジスタ構造体、ゲート線、データ線等の薄膜構造体を覆う任意の所望ディスプレイ層に形成され得る。例えば、不透明グリッド１０２は、カラーフィルタ層１２（図２）でブラックマトリクス構造体として具現化され得るか、又はＴＦＴ層１４（図２）の金属層でパターン化金属グリッドとして具現化され得る。
【００３６】
図６に示すとおり、クロスライン７４は、行Ｒの画像ピクセル５２の複数部分を覆っている。クロスライン７４は、不透明グリッド１０２における開口部のいくつかの部分を曖昧にして、行Ｒの画像ピクセルの利用可能な透明範囲を狭くし、それによって画像ピクセルの開口を小さくする。行Ｒ内の各画像ピクセル５２の開口は、クロスライン７４の経路厚Ｔ×画像ピクセルの幅Ｗの範囲分だけ小さくなり得る。
【００３７】
一般に、クロスライン７４などのジャンパは、画像ピクセルのサブセットの開口だけを小さくし得る。図６の実施例において、行Ｒは、クロスライン７４の存在によって影響され得るのに対し、その他残りの行は無影響であり得る。不均一な画像ピクセル開口特性に関連する視覚的アーティファクトの軽減を支援するために、残りの行にダミー線１０４などの不透明ダミー構造体が設けられ得る。ダミー構造体は、データ信号又は制御信号などの表示信号を伝えるのに使用されるのではない。各ダミー線１０４は、幅Ｔを有し得る。そして、対応画像ピクセル５２の略全てを横切って延在し得る（例えば、ダミー線１０４は約Ｗの幅を有し得る）。各ダミー線１０４は、行Ｒの画像ピクセル５２内のクロスライン７４の箇所に近い対応画像ピクセル５２内の箇所に形成され得る。例えば、ダミー線１０４は、近隣のゲート線４６から距離Ｄの箇所に形成され得る。ダミー線１０４は、各画像ピクセル５２の開口を、行Ｒ内の画像ピクセル５２の開口と一致するように調節する働きをし、それにより、ディスプレイ１０における画像ピクセルの画像特性（例えば明るさ）が均一で一貫したものとなるように確保することを支援し得る。換言すれば、ダミー線１０４は、対応画像ピクセル５２の開口を部分的に画定する。
【００３８】
画像ピクセルにダミー線１０４を設けることにより、クロスライン７４などのクロスラインを覆う必要がなくなる一方で、各画像ピクセル５２が略同様の開口特性を有するようになるため、不透明グリッド１０２によって覆われた範囲が狭くなり得る。そのため、グリッド１０２の縁がクロスライン７４及びダミー線１０４からずれ得る。これにより、画像ピクセル５２の透明範囲の拡大が促され、クロスライン７４及びダミー線１０４と関連付けられた透明範囲の縮小の少なくとも部分的相殺が促される。本実施例は、単なる例示に過ぎない。所望であれば、グリッド１０２が、所望であれば、クロスライン７４及びダミー線１０４の一部又は全部を覆っても良い。
【００３９】
図７は、図６の軸Ｙで切断したディスプレイ１０の例示的断面図である。図７に示すとおり、ディスプレイ１０のＴＦＴ層１４は、パッシベーション層（例えば、窒化ケイ素又は酸化ケイ素の層）、有機層（例えば、アクリル材料の層）など１つ以上の表示層を含み得る。例えば、表示層１５６、１５４、及び１５３がパッシベーション層であり得るのに対し、表示層１５２は有機層であり得る。金属又は金属合金などの導電性材料は、表示層の各々で堆積及びパターン化されて、相互接続構造体及びトランジスタ構造体などの構造体を形成し得る。導電路が形成される層は、金属層と呼ばれることもある。例えば、層１５６が第１の金属層（Ｍ１）と呼ばれることがあるのに対し、層１５４は第２の金属層（Ｍ２）と呼ばれることがある。所望であれば、更なる金属層が形成され得る。例えば、金属層１５５（Ｍ３）などの任意選択の金属層が、下にある金属層の上に形成され得る。
【００４０】
各画像ピクセルは、ＴＦＴ層１４に形成されるトランジスタ構造体１１２を備え得る。トランジスタ構造体は、ソース・ドレイン構造体１１４、ゲート構造体４６、及びチャネル構造体１１６を含み得る。チャネル構造体１１６は、ディスプレイ基板１２０に堆積した非晶質シリコン、インジウムガリウム亜鉛酸化物、又はポリシリコンなどの半導体材料から形成され得る。トランジスタ構造体は、表示層を貫通して（例えば、パッシベーション層及び／又は有機層を貫通して）延在するビア１１８によってピクセル電極１１９に電気的に連結され得る。
【００４１】
ピクセル電極１１９には、液晶層１６を制御する際に使用されるピクセルデータ信号がトランジスタ構造体１１２によって提供され得る。トランジスタ構造体１１２を含む画像ピクセル５２の領域１２２は、不透明グリッド１０２によって覆われているため、光１２６（例えば、バックライト構造体によって提供された光）が通過できない。不透明グリッド１０２は、領域１２４の上に、光１２６を通過させる開口部を備える。クロスライン７４は、対応領域１２４の一部分を塞ぎ、これによって、領域１２４を通過する光の量を減らし、対応ピクセル５２の開口を小さくする。ダミー線１０４も同様に、対応領域１２４において光１２６の一部分を塞ぎ、それによって、ディスプレイ１０の各ピクセル５２の開口が略同じになるように調節する。不透明グリッド１０２の範囲がトランジスタ構造体１１２のみを覆う（クロスライン１０４を覆わない）ように縮小され得るので、画像ピクセル開口の縮小は少なくとも部分的に抑制され得る。これにより、不透明グリッド１０２の縁とダミー線１０４及びクロスライン７４との間に空隙１２８が生じる。空隙１２８によって光１２６が通過できるようになるため、画像ピクセル開口が大きくなる。
【００４２】
図７の実施例においては、不透明グリッド１０２がカラーフィルタ層１２で不透明グリッドとして形成され、ブラックマトリクス又はブラックマトリクスグリッドと称されることがある。ただし、本実施例は単なる例示に過ぎない。所望であれば、不透明グリッド１０２は、ＴＦＴ層１４内の表示層上に形成されても良い。例えば、不透明グリッド１０２は、ディスプレイ基板１２０の上にあるパッシベーション層上にパターン化金属層として形成されても良い（例えば、不透明グリッド１０２は、金属層１５５に形成されても良い）。
【００４３】
クロスライン７４及びダミー線１０４がゲート線４６と同じ平面（例えば共平面）に形成される図７の実施例は、単なる例示に過ぎない。所望であれば、ダミー線１０４は、他の金属層など、任意の所望される表示層上に形成されても良い。例えば、ダミー線１０４は、ゲート線４６の上側又は下側にあるパッシベーション層上に堆積した導電性材料をパターン化することによって形成されても良い。
【００４４】
図６及び図７の実施例においては、ダミー線１０４がどの信号線にも接続されていない。ダミー線１０４は浮遊電圧であることから、浮遊ノード又は浮遊電圧ノードと呼ばれることがある。所望であれば、ダミー線は、図８に示す複数の画像ピクセルにまたがるクロスラインを形成するように延長されても良い。
【００４５】
図８に示すとおり、ディスプレイ１０は、クロスライン７４及びクロスライン１３２を備え得る。クロスライン７４は、Ｖｃｏｍ列及びＶｃｏｍ行領域など複数のＶｃｏｍ領域を横切り得ることから、本明細書では領域間クロスラインと呼ばれることがある。各Ｖｃｏｍ領域は、ピクセルアレイのそれぞれの部分を覆う行電極又は列電極などのＶｃｏｍ電極を備え得る。クロスライン１３２は、それぞれのＶｃｏｍ領域の画像ピクセルを横切り得る。クロスライン１３２は、各々がそれぞれのＶｃｏｍ領域内の画像ピクセルだけを横切ることから、本明細書では領域内クロスラインと呼ばれることがある。
【００４６】
Ｖｃｏｍ列は複数の部分に区切られ得る。図８の実施例においては、Ｖｃｏｍ列Ｖｃｏｍｃが周辺部分（領域）１３４及び中央部分（領域）１３６に区切られている。タッチ操作中は、周辺部分１３４及び中央部分１３６が互いに電気的に絶縁され得る（例えば、周辺部分１３４及び中央部分１３６が空隙１３８によって分離され得る）。周辺部分１３４は、パッドＶｃｏｍｒ上での行タッチ信号とＶｃｏｍｃの部分１３６上での列タッチ信号との間での容量結合など、寄生結合を防ぐのを支援し得る。そのため、周辺部分１３４は、Ｖｃｏｍｃのガード構造体又はガード部分と称されることがある。ガード部分１３４には、共通電圧が供給され得る（例えば、ガード部分１３４が共通給電端子に短絡され得る）。
【００４７】
領域間クロスライン７４は、Ｖｃｏｍ行を電気的に連結する目的で使用され、ビア構造体１４２によってＶｃｏｍｒ導電体に連結されている。各Ｖｃｏｍ行には、Ｖｃｏｍ行全体に延在する１組の１つ以上の領域間クロスライン７４が設けられている。各領域間クロスライン７４は、画像ピクセル５２の開口を小さくする。領域間クロスライン７４による影響を受けない（例えば、覆われていない）画像ピクセル５２の開口は、領域内クロスライン１３２によって調整され得る。各Ｖｃｏｍ部分には、そのＶｃｏｍ部分を横切ってクロスライン７４と平行に延びる領域内クロスライン１３２が設けられ得る。各領域内クロスライン１３２は、各画像ピクセル５２の開口が略同じになるように確保するのを支援するために、領域間クロスライン７４によって覆われていないそれぞれの行の画像ピクセル５２を部分的に覆い得る。
【００４８】
各Ｖｃｏｍ領域には、１組の対応領域内クロスライン１３２（例えば、１組のダミークロスライン）が設けられ得る。例えば、領域間クロスライン７４によって覆われていない所与のＶｃｏｍ領域内の各行の画像ピクセルに、領域内ダミークロスライン１３２が設けられ得る。図８の実施例においては、Ｖｃｏｍ行領域１４４に領域内クロスライン１３２−１が設けられ、Ｖｃｏｍ列周辺領域１３４にそれぞれの組の領域内クロスライン１３２−１及び１３２−２が設けられ、Ｖｃｏｍ中央領域１３６には領域内クロスライン１３２−３が設けられ、Ｖｃｏｍ行領域１４６には領域内クロスライン１３２−５が設けられている。本実施例は、単なる例示に過ぎない。Ｖｃｏｍ領域には、画像ピクセルの開口特性を調節するために任意の所望数の領域内クロスライン１３２が設けられ、ディスプレイ１０全体で一貫したピクセル特性を確保できるように支援し得る。
【００４９】
Ｖｃｏｍ導電体には、ダミークロスライン１３２及びクロスライン７４がビア構造体１４２によって電気的に連結され得る。領域間クロスライン７４は、Ｖｃｏｍ行導電体を連結する目的で使用され、Ｖｃｏｍ行領域内でビア構造体１４２が設けられるだけである。例えば、行領域１４４及び１４６内のＶｃｏｍ電極が、ビア構造体１４２によって領域間クロスライン７４に電気的に連結され得るのに対し、列領域１３４及び１３６ではビア構造体１４２が省略され得る（例えば、列導電体Ｖｃｏｍｃは領域間クロスライン７４に電気的に短絡されない）。
【００５０】
各領域の領域内クロスライン１３２は、ビア構造体１４２によってその領域に電気的に連結され得る。例えば、領域内クロスライン１３２−１は、Ｖｃｏｍ行領域１４４に連結され、領域内クロスライン１３２−２及び１３２−４はそれぞれのＶｃｏｍ列の周辺領域１３４に連結され、領域内クロスライン１３２−３はＶｃｏｍ列の中央領域１３６に連結され、領域内クロスライン１３２−５はＶｃｏｍ行領域１４６に連結され得る。領域内クロスライン１３２を対応するＶｃｏｍ電極に電気的に連結することにより、データ経路又はゲート経路などの信号経路間での領域内クロスライン１３２による寄生結合が減じられ得る（例えば、寄生結合を介してダミークロスライン１３２に連結される信号は、共通の供給ノードに短絡されるからである）。
【００５１】
ビア構造体１４２は、画像ピクセルの複数部分５２を覆い得る。そして、覆われた画像ピクセルの開口を小さくする可能性がある。ただし、Ｖｃｏｍ列領域は、領域内クロスライン１３２用のビア構造体１４２を含み、領域間クロスライン７４用のビア構造体１４２を含まない。ディスプレイの明るさの均一性を確保するのを支援するために、Ｖｃｏｍ列領域において、領域間クロスライン７４にダミービア構造体１４８が設けられ得る。
【００５２】
ダミービア構造体１４８は、領域間クロスライン７４をＶｃｏｍ導電体に電気的に連結せずに、ビア構造体１４２に等しいか、又は略同じ範囲を覆い得る。ダミービア構造体１４８は、部分的に形成されたビア構造体であり得る。例えば、ダミービア構造体１４８は、一切のスルーホール構造体に電気的に連結されていないクロスライン７４用のコンタクトだけを備え得る。これらのコンタクトは、クロスライン７４と同じ金属層に形成され得るか、又は任意の所望の金属層に形成され得る。
【００５３】
図９は、図８の領域間クロスライン７４にわたってＸ軸沿いに切り取ったディスプレイ１０の例示的な断面図である。図９に示すとおり、パッシベーション層１５６上に形成された領域間クロスライン７４は、複数のＶｃｏｍ領域（例えば、領域１４４、１３４、１３６、及び１４６）にまたがり得る。領域間クロスライン７４は、ビア構造体１４２によってＶｃｏｍ行領域１４４及び１４６に電気的に連結されている。ビア構造体１４２は、パッシベーション層又は有機層など、１つ以上の表示層にまたがり得る。例えば、層１５２がアクリルなどの有機材料の層であり得るのに対し、層１５４はパッシベーション層であり得る。ディスプレイ１０上でビア構造体１４２と略同じ面積の範囲（Ｘ−Ｙ範囲）を覆うダミービア構造体１４８が、領域間クロスライン７４に形成され得る。ダミービア構造体１４８は、軸Ｙに沿ってページの内側又は外側へと延び得る。
【００５４】
図１０は、図８の領域内ダミークロスラインにわたってＸ軸沿いに切り取ったディスプレイ１０の例示的な断面図である。図１０に示すとおり、領域内クロスライン１３２は、１つ以上の表示層を貫通して延在する導電性ビア構造体１４２によってそれぞれのＶｃｏｍ領域に各々電気的に連結されている（例えば、クロスライン１３２−１は領域１４４の導電体に連結され得る、クロスライン１３２−２は領域１３４の導電体に連結され得る等）。ビア構造体１４２は、信号経路間でのクロストークを低減するのを支援し得る。例えば、ビア構造体１４２は、ダミークロスラインをＶｃｏｍ領域に電気的に短絡させる。このことが、データ信号経路及びゲート信号経路などの信号経路間でダミークロスライン１３２を介した寄生結合が行われないようにするのを支援する。
【００５５】
一実施形態によれば、少なくとも第１及び第２のピクセルと、第１のピクセルの第１の一部分を覆う導電路と、第２のピクセルの第２の一部分を覆うダミー構造体と、を備えるディスプレイが提供される。
【００５６】
別の実施形態によれば、このディスプレイは、導電路に連結されている共通電極層を備える。
【００５７】
別の実施形態によれば、共通電極層は、行に配置された複数の行電極と、各行の行電極間に介在している複数の列電極と、を備え、導電路は行電極を電気的に連結する。
【００５８】
別の実施形態によれば、このディスプレイは、複数の行電極と複数の列電極とに連結されたタッチ回路を備える。
【００５９】
別の実施形態によれば、ディスプレイは、ピクセル行及びピクセル列に配置されたピクセルのアレイを備え、第１のピクセルは、ピクセルのアレイの第１のピクセル行に含まれ、第２のピクセルは、ピクセルのアレイの第２のピクセル行に含まれる。
【００６０】
別の実施形態によれば、複数の行電極の各行電極及び複数の列電極の各列電極は、ピクセルのアレイのそれぞれの部分を覆う。
【００６１】
別の実施形態によれば、ディスプレイは、バックライトと、バックライトからの光が通過する、ピクセルのアレイのそれぞれのピクセル用の開口部を有する不透明グリッドと、を備え、導電路によって覆われている第１のピクセルの第１の一部分は、第１のピクセル用の不透明グリッドの開口部内にあり、ダミー構造体によって覆われている第２のピクセルの第２の一部分は、第２のピクセル用の不透明グリッドの開口部内にある。
【００６２】
別の実施形態によれば、ディスプレイはカラーフィルタ層を備え、不透明グリッドはカラーフィルタ層にブラックマトリクス構造体を備える。
【００６３】
別の実施形態によれば、ディスプレイはディスプレイ基板を備え、ピクセルのアレイの各ピクセルは、ディスプレイ基板上に薄膜トランジスタ構造体、及びディスプレイ基板の上側に金属層を備え、不透明グリッドは、金属層にパターン化金属を備える。
【００６４】
別の実施形態によれば、ピクセルのアレイの各ピクセルの薄膜トランジスタ構造体は、チャネル構造体と、ゲート構造体と、ソース・ドレイン構造体と、を含む。
【００６５】
別の実施形態によれば、第２のピクセルのダミー構造体は、第２のピクセルのゲート構造体と共平面を成す浮遊金属経路を備える。
【００６６】
別の実施形態によれば、第１のピクセルは、共通電極層の所与の行電極によって覆われており、ダミー構造体は、所与の行電極によって覆われている第１のピクセル行の各ピクセルを横切って延在する金属経路を備える。
【００６７】
別の実施形態によれば、ディスプレイは、金属経路を所与の行電極に電気的に連結するビア構造体を備える。
【００６８】
一実施形態によれば、第１の開口によって特徴付けられた第１の画像ピクセルと、第２の開口によって特徴付けられた第２の画像ピクセルと、第２の開口を、第１の開口と一致するように少なくとも部分的に画定するダミー構造体と、を備えるディスプレイが提供される。
【００６９】
別の実施形態によれば、ディスプレイはバックライトを備え、第１及び第２の画像ピクセルは、バックライトからの光を通過させ、第１の画像ピクセルは、第１の開口に対応する受信光の第１の一部分を通過させ、第２の画像ピクセルは、第２の開口に対応する受信光の第２の一部分を通過させる。
【００７０】
別の実施形態によれば、ダミー構造体は、第２の画像ピクセルによって受信された光の少なくとも一部分が第２の画像ピクセルを通過するのを防ぐ。
【００７１】
別の実施形態によれば、第１の範囲を有する第１の画像ピクセルの一部分が不透明信号経路によって覆われており、ダミー構造体は、第２の画像ピクセルを部分的に覆う浮遊金属経路を備え、浮遊金属経路は、第１の範囲に略等しい第２の範囲を有する。
【００７２】
別の実施形態によれば、ディスプレイは、行及び列に配置された複数の画像ピクセルであって、第１の画像ピクセルがピクセルアレイの第１の行にあり、第２の画像ピクセルがピクセルアレイの第２の行にある、複数の画像ピクセルを有するピクセルアレイと、ピクセルアレイのそれぞれの部分を各々覆う複数の共通電極であって、ダミー構造体は、第２の行の画像ピクセルのうちの少なくとも２つのピクセルを覆う金属経路を備える、共通電極と、金属経路を複数の共通電極の所与の共通電極に電気的に連結するビア構造体と、を備える。
【００７３】
一実施形態によれば、行に配置された行電極及び各行の行電極間に介在する列電極を有する共通電極層と、行電極及び列電極に連結されたタッチセンサ回路と、所与の行の行電極を電気的に連結するクロスラインと、所与の行の所与の行電極のうちの所与の行電極を横切って延在するダミークロスラインと、を備えるタッチスクリーンディスプレイが提供される。
【００７４】
別の実施形態によれば、タッチスクリーンディスプレイは、それぞれのピクセル開口によって特徴付けられたピクセルのアレイを備え、共通電極層の各電極は、ピクセルのアレイのそれぞれの部分を覆い、所与の行電極によって覆われたピクセルの第１の一部分の開口は、クロスラインによって少なくとも部分的に画定され、所与の行電極によって覆われたピクセルの第２の一部分の開口は、ダミークロスラインによって少なくとも部分的に画定される。
【００７５】
別の実施形態によれば、ダミークロスラインは、クロスラインと平行な所与の行電極を横切って延在する複数のダミークロスラインのうちの１つを備え、その複数のダミークロスラインの各ダミークロスラインは、それぞれのビア構造体によって所与の行電極に電気的に連結されている。
【００７６】
別の実施形態によれば、クロスラインは、それぞれのビア構造体によって所与の行の各行電極に電気的に連結されており、タッチスクリーンディスプレイは、その所与の行の行電極間に介在している各列電極用の１組のダミークロスラインを更に備える。
【００７７】
別の実施形態によれば、タッチスクリーンディスプレイは、その１組のダミークロスラインを、所与の行の行電極間に介在している列電極に電気的に連結するビア構造体を備え、各ビア構造体は、第１の範囲と、列電極によって覆われているクロスラインの複数の部分に連結されているダミービア構造体と、を有し、各ダミービア構造体は、第１の範囲と略等しい第２の範囲を有する。
【００７８】
別の実施形態によれば、ダミービア構造体は、ダミービアコンタクトパッドを備える。
【００７９】
上述の内容は、本発明の原理の単なる例示に過ぎず、本発明の範囲及び趣旨から逸脱することなく、当業者によって様々な修正を実施することができる。前述の実施形態は、個々に又は任意の組み合わせで実行することができる。
【図１】
2016524739.tif 000003
【図２】
2016524739.tif 000004
【図３】
2016524739.tif 000005
【図４】
2016524739.tif 000006
【図５】
2016524739.tif 000007
【図６】
2016524739.tif 000008
【図８】
2016524739.tif 000009
【図７】
2016524739.tif 000010
【図９】
2016524739.tif 000011
【図１０】
2016524739.tif 000012
【国際調査報告】
2016524739.tif 000013
2016524739.tif 000014